(57)【特許請求の範囲】
【請求項１】
槽体に設けられた排水口と、
操作部に加えられた操作に基づいて弁部材を昇降させ、排水口を開閉する操作機構から成る排水栓装置において、
上記操作機構は、
操作部に加えられた操作を弁部材に伝達するレリースワイヤと、
排水口から離れた壁面に取り付けられたフランジ部材と、
フランジ部材内部に回動自在に配置され、レリースワイヤの端部を保持するワイヤ受けと、
操作部又はワイヤ受けを回動不能に固定する位置決め部材を備えることを特徴とする排水栓装置。
【請求項２】
前記操作部は、フランジ部材が取り付けられた壁面に対して平行方向成分を含む動作を行うことを特徴とする請求項１に記載の排水栓装置。
【請求項３】
前記位置決め部材が、
操作部の動作をガイドするガイド部を有することを特徴とする請求項２に記載の排水栓装置。
【請求項４】
前記位置決め部材は、
フランジ部材と壁面によって回動不能に挟持されていることを特徴とする請求項１乃至請求項３のいずれか１つに記載の排水栓装置。
【請求項５】
前記ワイヤ受けは、
フランジ部材の内周面と略同一の外径を有するリング部分を有し、
前記レリースワイヤは、
ワイヤ受けのリング部分の中心軸に対し傾斜している位置に保持されていることを特徴とする請求項１乃至請求項４のいずれか１つ記載の排水栓装置。
【請求項６】
前記ワイヤ受けは、
フランジ部材の内周面と略同一の外径を有するリング部分を有し、
前記レリースワイヤは、
ワイヤ受けのリング部分の中心とは異なる位置に保持されていることを特徴とする請求項１乃至請求項４のいずれか１つ記載の排水栓装置。
【発明の詳細な説明】
【技術分野】
【０００１】
本発明は、槽体に配置された弁部材を作動させる排水栓装置に関するものである。
【背景技術】
【０００２】
従来の排水栓装置として、槽体の底部に形成された排水口を開閉する弁部材、操作部によって弁部材を昇降操作する操作機構、操作機構の操作を弁部材に伝達するレリースワイヤ、弁部材の昇降状態を保持するロック機構より構成されているものが知られている。
弁部材は周囲にパッキンが嵌着されており、当該パッキンが排水口の周縁と水密に当接することによって排水口を閉塞し、槽体内に湯水を貯留することが可能となる。
操作機構は使用者が押動操作を行う操作部を備えており、操作部は槽体の天面、槽体の側面等、様々な壁面に配置され、使用者が当該操作部を操作することで、直接弁部材に触れることなく排水口を開閉することが可能となっている。
レリースワイヤは樹脂製の筒体であるアウターチューブと、金属の撚り線であるインナーワイヤより成り、操作部に加えられた押動操作によってインナーワイヤがアウターチューブ内を摺動し、弁部材を突き上げることで排水口の開閉を行う構造となっている。
ロック機構は内部に回転ギア、固定ギアを備え、回転ギアと固定ギアの噛合によって弁部材の上昇状態又は下降状態を保持する機構である。
【０００３】
ここで、特許文献１には、槽体の側面に対して回転方向に摺動可能な操作部を有し、当該操作部に加えられた回転操作が、レリースワイヤによって弁部材に伝達されて排水口の開閉を行う排水栓装置が記載されている。
【０００４】
又、特許文献２には、槽体の側面に対して上下方向に摺動可能な操作部を有し、当該操作部に加えられた垂直方向の押動操作が、レリースワイヤによって弁部材に伝達されて排水口の開閉を行う排水栓装置が記載されている。
【０００５】
上記各特許文献に記載の排水栓装置は、操作部が回転方向や上下方向に摺動する等、取り付けられた壁面に対して平行方向成分を含む動作を行う。従って、各特許文献に記載の操作部は、取り付けの際に所望する所定の方向に配置される必要があるものであるが、操作機構がフランジ部材に対し、特定の方向にのみ限定されて取り付けられるため（例えば１０度単位で特定の３６方向の中から一つ選ぶしかないなど）、取り付けの際に操作部を所定の方向に配置することは大変困難であった。特に、フランジ部材が螺合により取り付けられる構造の場合、施工が完了した際のフランジ部材の向きは取り付けられる壁面の厚みによって異なるため、困難であった。
【先行技術文献】
【特許文献】
【０００６】
【特許文献１】特開２０１２−２４１４８８号公報
【特許文献２】特開２０１４−１６７２５１号公報
【発明の概要】
【発明が解決しようとする課題】
【０００７】
特許文献１に記載の排水栓装置においては上記問題の解決のため、フランジ部材（オーバーフロー口部材５）に複数の凹部を設けることによって操作部の配置角度を調整可能としている。しかし、操作部の配置角度は凹部の設けられている間隔毎にのみ調整可能であり、所定の方向に調整することは依然として困難であった。
【０００８】
本発明は上記問題に鑑み発明されたものであって、確実に排水栓装置の操作部の配置角度を所定の方向にすることができる排水栓装置を提供することを課題とする。
【課題を解決するための手段】
【０００９】
請求項１に記載の本発明は、槽体に設けられた排水口と、
操作部に加えられた操作に基づいて弁部材を昇降させ、排水口を開閉する操作機構から成る排水栓装置において、
上記操作機構は、
操作部に加えられた操作を弁部材に伝達するレリースワイヤと、
排水口から離れた壁面に取り付けられたフランジ部材と、
フランジ部材内部に回動自在に配置され、レリースワイヤの端部を保持するワイヤ受けと、
操作部又はワイヤ受けを回動不能に固定する位置決め部材を備えることを特徴とする排水栓装置である。
【００１０】
請求項２に記載の本発明は、前記操作部は、フランジ部材が取り付けられた壁面に対して平行方向成分を含む動作を行うことを特徴とする請求項１に記載の排水栓装置である。
【００１１】
請求項３に記載の本発明は、前記位置決め部材が、
操作部の動作をガイドするガイド部を有することを特徴とする請求項２に記載の排水栓装置である。
【００１２】
請求項４に記載の本発明は、前記位置決め部材は、
フランジ部材と壁面によって回動不能に挟持されていることを特徴とする請求項１乃至請求項３のいずれか１つに記載の排水栓装置である。
【００１３】
請求項５に記載の本発明は、前記ワイヤ受けは、
フランジ部材の内周面と略同一の外径を有するリング部分を有し、
前記レリースワイヤは、
ワイヤ受けのリング部分の中心軸に対し傾斜している位置に保持されていることを特徴とする請求項１乃至請求項４のいずれか１つ記載の排水栓装置である。
【００１４】
請求項６に記載の本発明は、前記ワイヤ受けは、
フランジ部材の内周面と略同一の外径を有するリング部分を有し、
前記レリースワイヤは、
ワイヤ受けのリング部分の中心とは異なる位置に保持されていることを特徴とする請求項１乃至請求項４のいずれか１つ記載の排水栓装置である。
【発明の効果】
【００１５】
請求項１及び請求項２に記載の本発明によれば、フランジ部材が螺合により取り付けられる場合等、フランジ部材の向きが施工状況により変動する場合であっても、フランジ部材が固定された方向に関わらず、ワイヤ受けの方向を無段階且つ自由に調整することが可能となる。従って、常に操作部を所望する所定の方向に配置することが可能となる。当該構造は操作部が壁面に対する平行方向成分を含む動作を有する場合、操作部は配置されるべき所定の方向があるため、特に有用である。尚、「壁面に対して平行方向成分を含む」とは、例えば、壁面が略垂直である場合において、操作部が略垂直（上下方向）に動作する、又は回転方向に動作する場合等を指すものである。
請求項３に記載の本発明によれば、操作部又はワイヤ受けが回動可能であると、操作部が所定の方向以外の方向を向いてしまい、意匠性や操作性が低下するという新たな課題が生じる。本発明によれば、位置決め部材によって操作部が所定の方向を向くように固定され、適正に動作するようガイドすることで上記課題を解決することができる。尚、操作部とワイヤ受けを共に回動不能に固定しても良く、操作部の様態等に応じてどちらか一方のみを回動不能に固定しても良い。
請求項４に記載の本発明によれば、位置決め部材はフランジ部材と壁面によって挟持されるまでは回動可能となっており、所定の方向となるよう自由に調整を行うことが可能となる。そして、所定の方向に位置決め部材を配置した状態でフランジ部材を取り付けることによって位置決め部材が固定される。従って、位置決め部材（及び操作部）はフランジ部材の向きに関わらず、常に所定の方向に取り付けることが可能となる。
請求項５に記載の本発明によれば、レリースワイヤがワイヤ受けのリング部分の中心軸に対して傾斜している場合において、フランジ部材に対して回動可能に取り付けられる必要があるものであり、そのような場合に本発明は有用である。
請求項６に記載の本発明によれば、レリースワイヤがワイヤ受けのリング部分の中心とは異なる位置に保持されている場合において、フランジ部材に対して回動可能に取り付けられる必要があるものであり、そのような場合に本発明は有用である。
【図面の簡単な説明】
【００１６】
【図１】本発明の施工状態を示す断面図である。
【図２】操作機構を示す拡大断面図である。
【図３】操作機構を構成する各部材を示す分解斜視図である。
【図４】ワイヤ受けを示す斜視図である。
【図５】図４とは異なる方向視におけるワイヤ受けを示す斜視図である。
【図６】位置決め部材を示す斜視図である。
【図７】操作機構の動作を示す正面図である。
【図８】操作機構の施工工程を示す断面図である。
【図９】操作機構の施工工程を示す断面図である。
【図１０】第二実施形態における操作機構の動作を示す正面図である。
【図１１】第三実施形態における操作機構の動作を示す正面図である。
【発明を実施するための形態】
【００１７】
以下に、本発明の排水栓装置を、図面を参照しつつ説明する。尚、以下に記載する説明は実施形態の理解を容易にするものであり、これによって本発明が制限して理解されるものではない。又、以下の実施形態においては、特に断りの無い限り図１に示す施工状態を基準として上下左右及び部材同士の位置関係を説明する。
【００１８】
本実施形態は図１乃至図９に示すように、槽体Ｂの底部に形成された排水口１２の開閉を、排水口１２から離れた壁面に取り付けられた操作機構４によって遠隔的に行う排水栓装置であって、槽体Ｂ、排水栓１、弁部材３、操作機構４より構成されている。
【００１９】
槽体Ｂは上方が開放された箱状の浴槽であり、底部及び側面部には円形の開口が形成され、底部の開口には排水栓１が取り付けられているとともに、側面部の開口には操作機構４が取り付けられている。尚、本実施形態においては、槽体Ｂの側面部が、操作機構４が取り付けられる壁面として機能する。
【００２０】
排水栓１は上端に鍔部を有する筒状であって、その内部において槽体Ｂ内の湯水等を排水として排出する排水口１２が形成される流路を有し、筒状部分の外周には雄螺子部が螺刻されている。又、排水栓１は内部に形成された凸部にワイヤ固定部１３が取り付けられており、当該ワイヤ固定部１３に弁軸５３が固定されている。排水栓１は上記槽体Ｂ底面に形成された開口に挿通され、槽体Ｂ裏面に配置された排水器２と螺合されている。
排水器２は槽体Ｂの底部裏面に配置され、上方に螺刻された雌螺子によって排水栓１下端と螺合されているとともに、その下流側には、内部に流入した排水を更に下流側の配管（図示せず）へと排出する排出口が下端に形成されている。又、排水器２は側面において筒状の枝管部２１が延設され、当該枝管部２１は可撓性を有するオーバーフロー管７１を介して操作部１０と連結されている。
【００２１】
弁部材３は外周面にパッキンが嵌着された蓋部材であり、図１に示すように、弁部材３が下降している状態において、パッキンが排水口１２の周縁と当接することによって水密に閉塞している。この状態において、槽体Ｂは内部に湯水を貯留することが可能となる。又、弁部材３は裏面において弁軸５３の先端が嵌合されており、操作部１０の操作によって弁軸５３が上昇した際、当該弁軸５３に突き上げられることによって上昇し、上記排水口１２を開口させることが可能となっている。即ち、弁部材３は弁軸５３による突き上げによって上下動し、下降時には排水口１２を閉塞させ、上昇時には排水口１２を開口させることができる。
【００２２】
図２及び図３に示すように、操作機構４は槽体Ｂの側面に形成された開口に取り付けられ、レリースワイヤ５、フランジ部材６、連結部７、ワイヤ受け８、ロック機構８７、操作部１０より構成されている。
【００２３】
レリースワイヤ５はアウターチューブ５１、インナーワイヤ５２より構成された、操作部１０の操作を排水口１２へと伝達する部材であって、排水口１２側端部に弁軸５３を、操作部１０側端部には被取付部５４を備えている。尚、弁軸５３はワイヤ固定部１３に固定され、被取付部５４はワイヤ受け８によってフランジ部材６内部に固定されている。尚、レリースワイヤ５は図２に示すように、ワイヤ受け８の中心軸に対して傾斜し、且つワイヤ受け８の中心とは異なる位置に保持されている。
アウターチューブ５１は側面方向に可撓性を有する中空の合成樹脂製のチューブ体であって、内部にはインナーワイヤ５２が摺動可能に配置されている。又、アウターチューブ５１の一端は弁軸５３に連結され、他端はワイヤ受け８に連結されている。
インナーワイヤ５２は側面方向に可撓性を有する金属の撚り線であって、その一端が弁軸５３に連結され、他端がロック軸８８上端に連結されている。尚、インナーワイヤ５２は操作部１０側において、誘導部上部９５及び誘導部下部８４に形成された溝部８５、溝部９６内に収納されており、その端部が操作部１０を向く様に屈曲されている。又、インナーワイヤ５２は操作部１０に操作が加えられた際、アウターチューブ５１内部を進退可能となっている。
弁軸５３はレリースワイヤ５の排水口１２側端部に形成された筒状体であって、外筒及び内筒から成る。外筒はアウターチューブ５１が連結された中空の筒状体であって、内部に内筒が摺動可能に収納されているとともに、外周面がワイヤ固定部１３に固定されている。内筒はインナーワイヤ５２が連結された、上端が閉塞された中空の筒状体であって、内部にショックアブソーバスプリングが収納されているとともに、上端に弁部材３が嵌合されている。
上記弁軸５３は操作部１０に操作が加えられ、インナーワイヤ５２が排水口１２側へと摺動した際に内筒が上昇し、上記弁部材３を突き上げる。
被取付部５４は外周面に突起５５が形成されており、ワイヤ受け８に形成された切り欠きに当該突起５５が嵌合することで固定される。
【００２４】
図２及び図３に示すように、フランジ部材６は端部に鍔部６１を有する筒状体であって、外周に雄螺子が形成されているとともに、内周に段部６２が周方向に亘って複数箇所形成されている。又、フランジ部材６は内部が中空となっており、槽体Ｂ内に所定水位よりも高く湯水等が貯留された際、当該湯水を排出するオーバーフロー口６３が形成されている。
【００２５】
連結部７は槽体Ｂの側面裏側に配置された、流路が約９０度屈曲された略Ｌ字状の排水配管であって、上流側端部において形成された雌螺子部によって上記フランジ部材６と螺合されている。又、下流側端部には可撓性を有するオーバーフロー管７１が取り付けられており、内部に流入した湯水を当該オーバーフロー管７１を介して枝管部２１へと排出する。
【００２６】
図２乃至図５に示すように、ワイヤ受け８はレリースワイヤ５の端部を操作部１０側に固定する部材であって、フランジ部材６の内周面と略同一の外径を有するリング部分を有し、当該リング部分の端部より延設された爪部８１によってフランジ部材６の段部６２に係合されている。爪部８１は段部６２との係合状態において、段部６２の背面（図２における右方）に配置されており、当該爪部８１によってワイヤ受け８はフランジ部材６に対して抜脱不能であるが回動可能に固定されている。又、ワイヤ受け８は取付部８２、誘導部下部８４、ケーシング８６を備えている。
取付部８２は略筒状であって、その中心軸がワイヤ受け８の中心軸に対して傾斜しているとともに、ワイヤ受け８の中心とは異なる位置に形成されている。当該取付部８２にはレリースワイヤ５の被取付部５４が挿通されており、切り欠き８３に被取付部５４の突起５５が嵌合され、被取付部５４を操作部１０側に固定している。従って、レリースワイヤ５の操作部１０側端部はワイヤ受け８の中心軸に対して傾斜しているとともに、ワイヤ受け８の中心とは異なる位置に固定されている。
誘導部下部８４は取付部８２の上端より弧状に延設されているとともに、弧状部分の上面且つ中央において、長手方向に沿って溝部８５が形成されている。尚、誘導部下部８４は後述する位置決め部材９に形成された誘導部上部９５の下面と対応する角度で屈曲しているとともに、当該誘導部下部８４は係合部８４１によって誘導部上部９５係合している。又、ワイヤ受け８は端部（図２における左方）において、ロック機構８７が取り付けられるケーシング８６が形成されている。
ケーシング８６は誘導部下部８４の下方であって、槽体Ｂの内側に配置され、軸方向が上下方向となるように形成された筒状体であり、内周面に固定ギアが形成されているとともに、内部にロック機構８７を構成する各部材が収納されている。
【００２７】
ロック機構８７はスラストロック機構と呼ばれる保持機構であって、上記ケーシング８６及びケーシング８６内部に配置された回転ギア、ロック軸８８、スプリングより構成されている。
図２に示すように、ロック軸８８はケーシング８６の中心に配置されているとともに、ケーシング８６の上面を貫通しており、中程から上端にかけて二股に分岐している。当該ロック軸８８の分岐部分の間には上記誘導部下部８４が配置されており、従って、インナーワイヤ５２の端部は上記ロック軸８８に沿うようにして分岐部分の間に配置されている。ロック軸８８の上端にはキャップ状のワイヤ押さえ８９が取り付けられており、インナーワイヤ５２の端部を固定しているとともに、インナーワイヤ５２がロック軸８８と連動するよう構成されている。又、ロック軸８８はケーシング８６内部を上下動可能に配置されており、回転ギアが回動可能且つロック軸８８に対して上下動不能に取り付けられている。ロック機構８７は当該ロック軸８８が下降した際、回転ギアと固定ギアの噛合によってロック軸８８の下降状態を保持することが可能となっているとともに、再度下降した際には回転ギアと固定ギアの噛合が解除され、スプリングの弾性によってロック軸８８を上昇させることができる。
上記ロック機構８７は操作部１０の下方に配置されており、ロック軸８８の上端がワイヤ押さえ８９を介して操作部１０の裏面に当接している。又、ロック軸８８の軸方向は上下方向となるように配置されていることから、ロック軸８８の軸方向と操作部１０の動作方向、及びロック軸８８に固定されたインナーワイヤ５２端部の軸方向は略平行（略同一）となっている。
【００２８】
位置決め部材９は図６及び図７に示すように、正面視正方形形状であって、その中央において、フランジ部材６の鍔部６１の外径よりも大径に形成された開口部９１を有しているとともに、その両端において、上下が長手方向となる矩形のガイド部９２が正面に向けて突設されている。又、図２に示すように、開口部９１はその背面（図２における右方）の上端及び下端において、被挟持部９４が形成されているとともに、開口部９１の表面（図２における左方）の上方より、誘導部上部９５が形成されている。
被挟持部９４はフランジ部材６の鍔部６１の外径よりもやや小径に形成された弧状の爪部であって、鍔部６１と槽体Ｂの側面によって回動不能に挟持されている。
誘導部上部９５は図２に示すように、上記誘導部下部８４と対応する弧状に延設されているとともに、図６に示すように、弧状部分の中央において、長手方向に沿って溝部９６が形成されている。又、誘導部上部９５は被係合部９５１によって誘導部下部８４と係合している。
図７に示すように、ガイド部９２は上記操作部１０の幅と略同一の間隔を有して槽体Ｂの内側へ向けて突設されている。又、ガイド部９２は内側の側面において、対向するガイド部９２へ向けてガイド突起９３が形成されている。
【００２９】
ここで、位置決め部材９は、誘導部上部９５が誘導部下部８４と係合することによってワイヤ受け８が回動することを防止しているとともに、ガイド部９２が操作部１０の両隣に配置されることによって操作部１０が回動することを防止している。
【００３０】
操作部１０は図２、図３、及び図７に示すように、底面及び背面（図２における右方）が開放された箱体であって、ワイヤ押さえ８９を介してロック軸８８及びインナーワイヤ５２と当接している。又、操作部１０は図７に示すように、正面視において両隣に配置された位置決め部材９のガイド部９２、及び操作部１０の両側面に形成されたガイド溝１０１内に配置されたガイド突起９３によって、上下方向にのみ動作可能となっている。上述の通り、フランジ部材６が取り付けられた槽体Ｂの側面は略垂直であることから、操作部１０は槽体Ｂの側面（壁面）に対して略平行に動作するものである。
【００３１】
上記各部材より構成された排水栓装置は、以下のように施工される。尚、特に記載しない場合であっても、水密が必要とされる部材同士の接続は、必要に応じて接着剤やパッキン等の水密部材を介して水密に接続されるものである。
【００３２】
まず、排水器２と連結部７をオーバーフロー管７１で繋ぎ、槽体Ｂの底部に形成された開口に排水栓１及び排水器２を取り付ける。
次に、フランジ部材６の鍔部６１の背面に位置決め部材９の被挟持部９４が配置された状態でフランジ部材６を槽体Ｂの側面に形成された開口に挿入し、連結部７と螺合させる。この時、位置決め部材９はフランジ部材６に対して回動可能となっており、その方向を自由に変更することができる。従って、作業者は位置決め部材９を把持し、所定の方向、即ちガイド部９２が正確に上下方向を向く位置にした状態でフランジ部材６と連結部７との螺合を進めることができる。そして、当該螺合が完了すると、図８に示すように、フランジ部材６及び連結部７が槽体Ｂの側面に固定されるとともに、被挟持部９４がフランジ部材６の鍔部６１背面と槽体Ｂの側面に挟持され、位置決め部材９が回動不能に固定される。
次に、レリースワイヤ５の被取付部５４をワイヤ受け８の取付部８２に挿通し、突起５５を切り欠き８３に嵌合させた後、フランジ部材６に対し、レリースワイヤ５の弁軸５３側を挿入する。この時、レリースワイヤ５はオーバーフロー管７１によってガイドされて、弁軸５３が枝管部２１より排水器２の内部に容易に挿通される。そして、作業者は排水栓１内側より弁軸５３を引き出し、ワイヤ固定部１３に弁軸５３を固定した後、当該ワイヤ固定部１３の爪部を排水栓１の凸部に係合させて固定する。固定されたレリースワイヤ５はワイヤ固定部１３より弁軸５３の内筒が突出しており、当該内筒に弁部材３を嵌合させることで排水口１２側の施工工程が完了する。
次に、図９に示すように、ワイヤ受け８をフランジ部材６内に挿入する。当該挿入に伴い、ワイヤ受け８の爪部８１がフランジ部材６の段部６２と当接し、内側に撓むよう変形しながら段部６２を乗り越える。そして、爪部８１が段部６２の背面にまで達した時、爪部８１は自身の復元力によって元の形状に復帰し、ワイヤ受け８の取り付けが完了する。この時、ワイヤ受け８はフランジ部材６に対しては回動自在であるが、当該挿入完了時において、誘導部上部９５と誘導部下部８４が係合することによって、ワイヤ受け８は回動不能に固定される。
最後に、位置決め部材９のガイド部９２間に操作部１０を配置し、排水栓装置の全ての施工工程が完了する。この時、操作部１０は正面視において両隣にガイド部９２が配置されるとともに、ガイド溝１０１内にガイド突起９３が配置される。従って、施工完了状態において、操作部１０は上下方向にのみ動作可能となり、その他の方向に動作することは不可能となる。
【００３３】
本発明の排水栓装置の施工は以上であるが、上記施工手順は一例であり、下流側の配管の関係等に応じて適宜変更されるものである。
尚、本発明においては、操作機構４がフランジ部材６と連結部７との螺合による取り付け構造を有することから、連結部７を槽体Ｂの裏側に配置しておき、槽体Ｂの内側よりフランジ部材６を締め付けて取り付けることができる。従って、槽体Ｂの裏側に作業のためのスペースが存在しない場合であっても問題無く施工を行うことが可能となる。
【００３４】
本発明の排水栓装置のメンテナンスを行う際には、上記施工手順と逆の手順を用いて取り外しを行うことが可能となる。
【００３５】
上記本発明の排水栓装置は以下のように動作する。
【００３６】
まず、図１に示すように、弁部材３が下降している状態において、弁部材３の周囲に嵌着されたパッキンが排水栓１の上面と水密に当接しており、槽体Ｂ内に湯水を貯留することが可能となっている。
上記弁部材３の下降状態より、使用者によって操作部１０の上面が下方へ向けて直接押動されると、インナーワイヤ５２及びロック軸８８が押し下げられる。この時、インナーワイヤ５２はアウターチューブ５１内を弁部材３側へ向けて摺動し、内筒が外筒より突出することによって弁部材３を上昇させる。又、操作部１０の押し下げに伴いロック軸８８も下降し、ロック機構８７が作動して弁部材３の上昇状態が保持される。
【００３７】
上記弁部材３の上昇状態より、再び使用者によって操作部１０の上面が下方へ向けて押動されると、インナーワイヤ５２及びロック軸８８が押し下げられる。この時、ロック軸８８が再び下降することによって上記弁部材３の上昇状態の保持が解除され、弁部材３は自重及びスプリングの作用によって下降し、操作部１０も図２に示す元の位置へと復帰する。
【００３８】
上記の様に、本発明の排水栓装置は操作部１０に押動操作を加える毎に弁部材３の上昇状態と下降状態を切り替えることが可能となる。弁部材３が上昇状態にある時には槽体Ｂ内に貯留された湯水等は排水口１２より排出され、弁部材３が下降状態にある時には槽体Ｂ内に湯水等を貯留することが可能となる。一方、槽体Ｂ内に所定量以上の湯水等が貯留されると、当該湯水等は操作部１０の下面よりオーバーフロー口６３へと流入し、オーバーフロー管７１を通じて枝管部２１より排水器２へと流入する。
【００３９】
本発明においては、ワイヤ受け８がフランジ部材６に対して回動自在であることから、フランジ部材６の取付位置に関わらずワイヤ受け８を所定の方向に調整することが可能となる。一方で、ワイヤ受け８及び操作部１０がフランジ部材６に回動可能であると、操作部１０が所定の方向以外の方向を向いてしまい、意匠性や操作性が低下してしまう恐れが生じるが、本発明においては位置決め部材９によってワイヤ受け８及び操作部１０の位置決めが成されるため、意匠性や操作性が損なわれることはない。
【００４０】
上記実施形態では、意匠性等の理由より、略垂直な壁面に備えられた操作部１０が正確に上下方向に動作する方向が「所望する所定の方向」である。そして、当該操作部１０の動作の方向は、ワイヤ受け８が取り付けられた方向によって定まるものである。即ち、操作部１０が所定の方向に配置されるようにするためには、ワイヤ受け８が「操作部１０が所定の方向に配置される」方向に取り付けられる必要がある。
そこで、本実施形態においては、ワイヤ受け８がフランジ部材６に対して取り付けられた際、ワイヤ受け８がフランジ部材６に対して回動自在となるように構成した。そのため、上記実施形態では操作部１０がワイヤ受け８に取り付けられる際には既にワイヤ受け８は回動不能に固定されているものの、当該ワイヤ受け８が固定される方向は無段階に調整可能である。従って、事前に位置決め部材９によって所定の方向にワイヤ受け８がフランジ部材６に対し取り付けられることが可能となり、結果として操作部１０を所定の方向に取り付けることが可能となる。
【００４１】
尚、必要であれば、先にワイヤ受け８をフランジ部材６に対して取り付け、ワイヤ受け８を回動させて方向調整を行った上で、その方向に合わせて位置決め部材９によって位置及び方向を固定するように構成しても良い。
【００４２】
本願発明の第一実施形態は以上であるが、本発明は上記第一実施形態の構成に限られるものではなく、発明の要旨を逸脱しない範囲において種々の形状変更を行うことが可能である。
例えば、図１０に示す第二実施形態のように、操作部１０が略水平方向に動作する構造であっても良く、図１１に示す第三実施形態のように、操作部１０が回転方向に動作する構造であっても良い。更に、操作部１０が斜め下方に向けて押動操作を加える構造である等しても良い。
又、フランジ部材６や操作部１０が取り付けられる壁面は槽体Ｂの側面以外にも、槽体Ｂの天面や浴室の壁面に配置される等、種々の壁面に取り付けられも良い。即ち、操作部１０がフランジ部材６が取り付けられた壁面に対して略平行方向成分を含む方向に動作する場合、操作部１０は所定の方向に配置される必要が生じ、そのような排水栓装置に本発明は有用である。
【００４３】
又、第一実施例において、位置決め部材９は操作部１０及びワイヤ受け８を回動不能に固定していたが、操作機構の様態に合わせ、ワイヤ受け８又は操作部１０のどちらか一方を固定する構造であっても良い。即ち、第三実施形態のように、操作部１０が回転方向に動作する構造である場合等においては、ワイヤ受け８のみを回動不能に固定すれば良い。
【符号の説明】
【００４４】
１      排水栓
１２    排水口
１３    ワイヤ固定部
２      排水器
２１    枝管部
３      弁部材
４      操作機構
５      レリースワイヤ
５１    アウターチューブ
５２    インナーワイヤ
５３    弁軸
５４    被取付部
５５    突起
６      フランジ部材
６１    鍔部
６２    段部
６３    オーバーフロー口
７      連結部
７１    オーバーフロー管
８      ワイヤ受け
８１    爪部
８２    取付部
８３    切り欠き
８４    誘導部下部
８４１  係合部
８５    溝部
８６    ケーシング
８７    ロック機構
８８    ロック軸
８９    ワイヤ押さえ
９      位置決め部材
９１    開口部
９２    ガイド部
９３    ガイド突起
９４    被挟持部
９５    誘導部上部
９５１  被係合部
９６    溝部
１０    操作部
１０１  ガイド溝
Ｂ      槽体
【図１】
0006753559.tif 000002
【図２】
0006753559.tif 000003
【図３】
0006753559.tif 000004
【図４】
0006753559.tif 000005
【図５】
0006753559.tif 000006
【図６】
0006753559.tif 000007
【図７】
0006753559.tif 000008
【図８】
0006753559.tif 000009
【図９】
0006753559.tif 000010
【図１０】
0006753559.tif 000011
【図１１】
0006753559.tif 000012